(57)【要約】 【課題】 ブスバーを効率的に配置することによって小型の配電盤を提供する。【解決手段】 配電盤の裏面側スペースの側板１に沿って上下に延びる三相の縦ブスバー５Ｒ，５Ｓ及び５Ｔが取り付けられている。各相の縦ブスバーはそれぞれ一対からなり，それぞれが対で構成される成型絶縁物製の保持部材６及び７によって保持されている。一方の保持部材６には三相分形成されている６ヶ所の溝のうちの左側２ヶ所の溝に縦ブスバー５Ｒがはめ込まれ，右側２ヶ所の溝に縦ブスバー５Ｔがはめ込まれている。また，他方の保持部材７には中央の２ヶ所の溝に縦ブスバー５Ｓがはめ込まれている。これら保持部材６と保持部材７を配電盤の上面から見たとき，縦ブスバー５Ｒ，５Ｓ及び５Ｔが協働して正三角形の頂点に位置するようにスペーサ８を介して側板１および中間フレーム部材２に取り付けられている。【選択図】 図１
2005027482.tif 000002
【特許請求の範囲】
【請求項１】
三相電源に対応して３相分のブスバーが互いに平行配置された配電盤において，前記ブスバーの長手方向と直交する平面から見たとき各相のブスバーが協働してそれぞれが三角形の頂点に位置するように配置されていることを特徴とする配電盤。
【請求項２】
それぞれが対を構成する前記ブスバーの保持部材が背中合わせに２対取り付けられ，前記三角形が二等辺三角形になるように，一方の対の前記保持部材の対向面の両端部付近にそれぞれ１相分のブスバーをはめ込む溝が形成され，他方の対の前記保持部材に残りの１相分のブスバーをはめ込む溝が形成されていることを特徴とする請求項１の配電盤。
【発明の詳細な説明】
【技術分野】
【０００１】
本発明は，配電盤，特に三相電源に対応するブスバーを備えた配電盤のブスバーの配置に関する。
【背景技術】
【０００２】
図５及び図６は，特開２００１−３４６３０５号公報に開示されている配電盤の内部のそれぞれ側面及び裏面から見た要部を示している。この配電盤には，隣接する配電盤から延びる三相電源の主ブスバー１００に接続される上下に延びる三本の縦ブスバー１０１が，この配電盤の正面から奥行方向（図６において左側から右側方向）に平行配置されている。この縦ブスバー１０１に接続された横ブスバー１０２及び分岐ブスバー１０３を介して，配電盤の表面パネル付近に取り付けられた複数の回路遮断器１０４に電源が接続される。
このような配電盤にあっては，配電盤内又は配電盤の負荷側で短絡事故が発生したような場合，非常に大きな短絡電流が縦ブスバーに流れることがある。このような短絡電流によって大きな電磁反発力や電磁吸引力が縦ブスバー相互間に作用するが，電磁力の大きさは縦ブスバー間の間隔の二乗に反比例して発生する。
したがって，電磁力によって，縦ブスバーが変形したりその保持部材が破損したりする損傷が生じることを防止するためには，縦ブスバー間の取付間隔を大きくしたり，強固な保持部材で縦ブスバーを保持する方法が一般的に用いられている。
【０００３】
図７及び図８は，強固な保持部材を使用して三相分のブスバーを同一垂直面内に配置（配電盤を上面から見たとき直線上に配置）した配電盤の内部をそれぞれ上面及び裏面から見た要部を示している。この配電盤は1相あたり２本の縦ブスバー１０５を有し，これらの縦ブスバー１０５を保持する絶縁物製の保持部材１０６が複数対上下方向に配置されている。それぞれの対の保持部材には縦ブスバー１０５の厚さに相当する溝巾を有する６ヶ所の溝が対抗面に形成されており，一対の保持部材１０６を両側からねじで締め付けることによって６本の縦ブスバー１０５が支持される。
【特許文献１】特開２００１−３４６３０５号公報（図９，図１０）
【発明の開示】
【発明が解決しようとする課題】
【０００４】
前述した従来の技術は，縦ブスバーの配置のために，少なくとも中央の縦ブスバーと一方の端の縦ブスバーの間隔の2倍の寸法に相当する奥行方向のスペースが必要であった。発生する短絡電流が比較的小さい配電盤のものにあっては小さいブスバー間隔で十分であったため問題はなかった。しかし，短絡電流が大きい配電盤に従来のように三相分の縦ブスバーが奥行方向に一列に並ぶように構成すると，より大きな奥行方向のスペースを必要とし，配電盤全体の奥行寸法が大きくなるという問題があった。
この発明はこのような問題を解消するためになされたもので，ブスバーを効率的に配置することによって小型でバランスの取れた寸法の配電盤を提供することにある。
【課題を解決するための手段】
【０００５】
上記の問題を解決するために，請求項1の発明は，三相電源に対応して３相分のブスバーが互いに平行配置された配電盤において，ブスバーの長手方向と直交する平面から見たとき各相のブスバーが協働してそれぞれが三角形の頂点に位置するように配置されていることとしている。
請求項２の配電盤は，請求項１の配電盤において，それぞれが対を構成するブスバーの保持部材が背中合わせに２対取り付けられ，三角形が二等辺三角形になるように，一方の対の保持部材の対向面の両端部付近にそれぞれ１相分のブスバーをはめ込む溝が形成され，他方の対の保持部材に残りの１相分のブスバーをはめ込む溝が形成されていることとしている。
【発明の効果】
【０００６】
請求項１の本発明は，ブスバーの長手方向と直交する平面から見たとき三相分のブスバーが三角形の頂点に位置するように配置されているため，短絡電流に耐えるために必要な２相のブスバーの配置間隔に相当する取付スペースを一方向（例えば奥行方向）に確保し，残りの１相のブスバーを他の方向（例えば左右方向）に配置することにより，一方向の寸法だけが大きくなることはなく，スペース効率がよく小型でバランスのとれた寸法の配電盤を構成できるというような効果を奏する。
請求項２の発明は，保持部材を２対背中合わせに配置することにより，ブスバーを二等辺三角形に配置したり正三角形に配置したりすることができるため，三相のブスバーを容易にバランスよく配置できるという効果を奏する。
【発明を実施するための最良の形態】
【０００７】
本発明を実施するための最良の形態を，図１ないし図４に示される実施例において説明する。図１及び図２は本実施例の配電盤を上面及び裏面から見たときの内部の要部を示す図である。図１において，この配電盤は，対向する一対の側板１の間に正面側スペースと裏面側スペースを分ける中間フレーム部材２を設け，この中間フレーム部材２に正面側スペースに収納された回路遮断器３の端子ブロック４が取り付けられている。
【０００８】
図３及び図４はこの配電盤の裏面側スペースを示す斜視図である。図１，図２および図３を参照して，側板１に沿って上下方向に三相の各相一対の縦ブスバー５Ｒ，５Ｓ及び５Ｔが，それぞれが対で構成される成型絶縁物製の保持部材６，７によって保持されている。対を成す保持部材６のそれぞれの対向面には，上記縦ブスバーの厚みに相当する溝巾の溝が６ヶ所に形成されている。この溝のうち左側２ヶ所の溝には対を成す縦ブスバー５Ｒがはめ込まれ，右側２ヶ所の溝には対を成す縦ブスバー５Ｔがはめ込まれている。中央の溝は，右側及び左側の溝から等間隔の部分に位置し，中央の溝と左側及び右側の溝との間には後述する取付用のねじを装着する孔６ａが形成されている。保持部材７は保持部材６と同一形状のものであって，その中央の2ヶ所の溝に対を成す縦ブスバー５Ｓがはめ込まれている。保持部材６と保持部材７とは絶縁物製のスペーサ８を介して背中合わせに配置されており，側板１と保持部材取付板９との両側から孔６ａ及び孔７ａを挿通するねじ１０によってこの配電盤に取り付けられている。なお，スペーサ８の厚さは，縦ブスバー５Ｒ，５Ｓ及び５Ｔが，図１において，正三角形の頂点に位置するように選ばれている。また，保持部材取付板９はその両端が補助部材を介して側板１および中間フレーム部材２に固定されている。
【０００９】
図４を参照して，縦ブスバーと回路遮断器の端子ブロック４との接続は，縦ブスバー５Ｓを例にして説明すると，一端が端子ブロック３の端子１１に接続される分岐ブスバー１２の他端と接続補助部材１３とを一対の縦ブスバー５Ｓにまたがり，かつ縦ブスバーの５Ｓの相対的に表裏となる面から挟みつけるように配置する。そして，分岐ブスバー１２の他端及び接続補助部材１３に形成した孔及び一対の縦ブスバー５Ｓの対向する隙間を挿通するねじ１４によって，縦ブスバー５Ｓと分岐ブスバー１２とを接続する。
なお，本実施例では，三相の縦ブスバーを正三角形の頂点に位置するように配置してあるが，二等辺三角形や不等辺三角形になるような配置のものでも，三相分のブスバーを直線上に配置する場合より一方向に関してより小さいスペースで配置することができる。
【図面の簡単な説明】
【００１０】
【図１】本発明による実施例の配電盤の内部の要部を示す平面図である。
【図２】図１の配電盤の内部の裏面スペースの要部を示す裏面図である。
【図３】図１の配電盤の内部の裏面スペースの要部を示す斜視図である。
【図４】図１の配電盤の内部の裏面スペースの要部を示す斜視図である。
【図５】第１の従来の配電盤の内部の要部を示す側面図である。
【図６】図５の配電盤の内部の裏面図である。
【図７】第２の従来の配電盤の内部の要部を示す平面図である。
【図８】図７の配電盤の裏面図である。
【符号の説明】
【００１１】
１  側板
２  中間フレーム部材
３  回路遮断器３
４  端子ブロック
５Ｒ，５Ｓ，５Ｔ  縦ブスバー
６，７  保持部材
８  スペーサ
９  保持部材取付板
１０  ねじ
１１  端子
１２  分岐ブスバー
１３  接続補助部材
１４  ねじ
【図１】
2005027482.tif 000003
【図２】
2005027482.tif 000004
【図３】
2005027482.tif 000005
【図４】
2005027482.tif 000006
【図５】
2005027482.tif 000007
【図６】
2005027482.tif 000008
【図７】
2005027482.tif 000009
【図８】
2005027482.tif 000010